(57)【要約】【課題】端材の発生が少ない、平滑性を出す必要のない、伸びの少ない、施工し易い放射線防護壁用鉛シート、この放射線防護壁用鉛シートを使用した放射線防護壁及びこの放射線防護壁の施工方法を提供すること。【解決手段】この発明に係る放射線防護壁用鉛シートは、幅３２０〜４８０ｍｍ、厚さ１〜３ｍｍのロール状に巻回された矩形でシート状の鉛からなり、該鉛のクリープ強度が２２〜４１ｋＰａの範囲にある。該鉛は純度９９．９９％以上の鉛に０．０２〜０．０８％のＣａ及び／又はＳｂを添加したものが好ましい。【選択図】    なし【特許請求の範囲】
【請求項１】
建材の下地幅に対応した幅で、厚さが１〜３ｍｍのロール状に巻回された矩形でシート状の鉛からなり、該鉛のクリープ強度が２２〜４１ｋＰａの範囲にあることを特徴とする放射線防護壁用鉛シート。
【請求項２】
前記鉛のビッカース硬度（Ｈｖ）が６〜１０であることを特徴とする請求項１に記載の放射線防護壁用鉛シート。
【請求項３】
前記鉛が純度９９．９９％以上の鉛に、０．０２〜０．０８％のＣａ及び／又はＳｂを添加してなるものであることを特徴とする請求項１又は２に記載の放射線防護壁用鉛シート。
【請求項４】
壁下地と、該壁下地を被覆している複数枚の鉛シートと、該鉛シートを被覆している壁表材とを備え、該複数枚の鉛シートは天井から床まで継ぎ目なく連続し、該複数枚の鉛シートは隣り合う鉛シート同士が側部で重なり合い、該鉛シートの側部はビスで該壁下地に固定されていることを特徴とする放射線防護壁。
【請求項５】
前記鉛シートが、幅３２０〜４８０ｍｍ、厚さ１〜３ｍｍのロール状に巻回された矩形でシート状の鉛からなり、該鉛のクリープ強度が２２〜４１ｋＰａの範囲にあることを特徴とする請求項４に記載の放射線防護壁。
【請求項６】
ロール状に巻いた鉛シートを壁下地の上方に持ち上げる工程と、該鉛シートの一方の端部近傍を壁下地の該天井高さ位置に固定する工程と、該鉛シートを下方に解いて行く工程と、該鉛シートの側部を壁下地に上方から下方に向けてビスで所定間隔をおいて順次固定する工程とを備え、該鉛シートを下方に解いて行く際に該鉛シートの側部は隣り合う鉛シートの側部に重なり合わせた状態で壁下地にビスで所定間隔をおいて固定することを特徴とする放射線防護壁の施工方法。
【請求項７】
ロール状に巻いた鉛シートの一方の端部近傍を壁下地の床高さ位置に固定する工程と、該鉛シートを上方に持ち上げながら解いて行く工程と、該鉛シートの側部を壁下地に下方から上方に向けてビスで所定間隔をおいて順次固定する工程とを備え、該鉛シートを上方に持ち上げながら解いて行く際に該鉛シートの側部は隣り合う鉛シートの側部に重なり合わせた状態で壁下地にビスで所定間隔をおいて固定することを特徴とする放射線防護壁の施工方法。
【請求項８】
前記鉛シートが、幅３２０〜４８０ｍｍ、厚さ１〜３ｍｍのロール状に巻回された矩形でシート状の鉛からなり、該鉛のクリープ強度が２２〜４１ｋＰａの範囲にあることを特徴とする請求項６又は７に記載の放射線防護壁の施工方法。
【発明の詳細な説明】
【０００１】
【発明の属する技術分野】
この発明は、例えば病院のＸ線室の防護壁等、放射線を取り扱う施設の防護壁に使用される放射線防護壁用鉛シート、この放射線防護壁用鉛シートを用いた放射線防護壁及びこの放射線防護壁の施工方法に関するものである。
【０００２】
【従来の技術】
例えば、Ｘ線室の防護壁として、石膏ボード等の壁表材の裏側に鉛シートを貼り、また、壁を形成すべき場所にこの壁表材の周囲の大きさと同じ大きさの軽量鉄骨製又は木製の枠体を上下左右に連続的に設けて壁下地とし、この壁下地の枠体の表側に鉛テープを貼り、この鉛テープを介して枠体に鉛シート付きの前記壁表材を張ったものが知られている。
【０００３】
また、Ｘ線室の別のタイプの防護壁として、壁を形成すべき場所に軽量鉄骨製又は木製の枠体を連続的に設置して壁下地とし、この壁下地に複数枚の鉛シートを周縁部をラップさせた状態でビスで留め付け、その上に石膏ボード等の壁表材を張ったものが知られている。
【０００４】
【発明が解決しようとする課題】
前者のタイプの防護壁は、施工現場で壁表材にこの壁表材とは大きさの異なる鉛シートを貼り付けるので、鉛シートの端材がかなり発生し、鉛シートがかなり無駄になり、施工コストを上げてしまうという問題があった。
【０００５】
また、前者のタイプの防護壁は鉛シートを貼った壁表材が端材となった場合、鉛と壁表材（石膏ボード等）を人力で分離してリサイクルしなければならないので、リサイクルに手間がかかるという問題があった。
【０００６】
また、後者のタイプの防護壁は、長期の時間の経過によって鉛シートが自重で垂れ下がって伸びて薄くなり、Ｘ線の防護能力が低下したり、鉛シートを留めているビスの周囲に隙間ができて、ここからＸ線が外に漏れるおそれがあった。
【０００７】
また、後者のタイプの防護壁は、９１０×１８２０などの定尺の鉛シートを使うため、縦横の目地のラップにより鉛シートが４枚重ねになって突出する部分ができ、壁表材を張るためにこの突出する部分を平滑にする必要があるが、この平滑性を出すのに手間がかかるという問題があった。
【０００８】
また、実開平４−９２９３２号公報や特開平１１−２４１４３０号公報には、鉛シート付きの壁表材が開示されている。これらの壁表材を使用すると、手間や時間もかからず、切断した鉛シートの端材も発生しないが、比重の重い鉛を貼った重い壁表材を施工現場で取り扱う必要があり、施工作業が大変であるという問題があった。
【０００９】
この発明は、端材の発生が少ない、平滑性を出す必要のない、伸びの少ない、重い壁表材を施工現場にて取り扱う必要のない放射線防護壁用鉛シート、この放射線防護壁用鉛シートを使用した放射線防護壁及びこの放射線防護壁の施工方法を提供することを目的とする。
【００１０】
【課題を解決するための手段】
この発明に係る放射線防護壁用鉛シートは、建材の下地幅、具体的には３２０〜４８０ｍｍ、に対応した幅で、厚さが１〜３ｍｍのロール状に巻回された矩形でシート状の鉛からなり、該鉛のクリープ強度が２２〜４１ｋＰａの範囲にあることを特徴とするものである。
【００１１】
ここで、鉛シートのクリープ強度を２２〜４１ｋＰａとしたのは、クリープ強度が２２ｋＰａ未満では、長期の時間の経過によって鉛シートが伸びて薄くなったり、鉛シートを留めているビスの周囲に隙間ができるおそれがあり、クリープ強度が４１ｋＰａを超えると壁下地への施工がし難くなるが、クリープ強度が２２〜４１ｋＰａの範囲ではそのような不都合がなく、容易に施工できるからである。
【００１２】
また、鉛シートのビッカース硬度（Ｈｖ）は６〜１０が好ましい。ビッカース硬度（Ｈｖ）が６未満では、長期の時間の経過によって鉛シートが伸びて薄くなったり、鉛シートを留めているビスの周囲に隙間ができるおそれがあり、ビッカース硬度（Ｈｖ）が１０を超えると壁下地への施工がし難くなるが、ビッカース硬度（Ｈｖ）６〜１０の範囲ではそのような不都合がなく、容易に施工できるからである。
【００１３】
また、前記鉛は純度９９．９９％以上の鉛（ＪＩＳ  Ｈ２１０５）に、０．０２〜０．０８％のＣａ及び／又はＳｂを添加してなるものが好ましい。Ｃａ及び／又はＳｂが０．０２％未満では長期の時間の経過によって鉛シートが伸びて薄くなったり、鉛シートを留めているビスの周囲に隙間ができるおそれがあり、０．０８％を超えると壁下地への施工がし難くなるが、Ｃａ及び／又はＳｂが０．０２〜０．０８％の範囲ではそのような不都合がなく、容易に施工できるからである。
【００１４】
また、この発明に係る放射線防護壁は、壁下地と、該壁下地を被覆している複数枚の鉛シート（前記放射線防護壁用鉛シート）と、該鉛シートを被覆している壁表材とを備え、該複数枚の鉛シートは天井から床まで継ぎ目なく連続し、該複数枚の鉛シートは隣り合う鉛シート同士が側部で重なり合い、該鉛シートの側部はビスで該壁下地に固定されているものである。隣り合う鉛シート同士の側部の重なり幅は２０〜３０ｍｍであり、次の施工方法においても同様である。
【００１５】
この発明に係る放射線防護壁の施工方法の一つは、ロール状に巻いた鉛シート（前記放射線防護壁用鉛シート）を壁下地の上方に持ち上げる工程と、該鉛シートの一方の端部付近を壁下地の天井高さ位置に固定する工程と、該鉛シートを下方に解いて行く工程と、該鉛シートの側部を壁下地に上方から下方に向けてビスで所定間隔をおいて順次固定する工程とを備え、該鉛シートを下方に解いて行く際に該鉛シートの側部は隣り合う鉛シートの側部に重なり合わせた状態で壁下地にビスで所定間隔をおいて固定することを特徴とするものである。
【００１６】
この発明に係る放射線防護壁の施工方法の他の一つは、ロール状に巻いた鉛シートの一方の端部近傍を壁下地の床高さ位置に固定する工程と、該鉛シートを上方に持ち上げながら解いて行く工程と、該鉛シートの側部を壁下地に下方から上方に向けてビスで所定間隔をおいて順次固定する工程とを備え、該鉛シートを上方に持ち上げながら解いて行く際に該鉛シートの側部は隣り合う鉛シートの側部に重なり合わせた状態で壁下地にビスで所定間隔をおいて固定することを特徴とするものである。
【００１７】
【発明の実施の形態】
図１はこの発明の一実施の形態に係る放射線防護壁の正面図、図２は図１の放射線防護壁の縦断面図、図３は図１の放射線防護壁の横断面図である。
【００１８】
これらの図において、放射線防護壁は、断面略コ字状の軽量型鋼を枠状に連結してなる壁下地１０と、壁下地１０を室内側から被覆している複数枚の鉛シート１２と、鉛シート１２を室内側から被覆している石膏ボード（壁表材）１４とからなる。
【００１９】
鉛シート１２は、幅４７５ｍｍ、厚さ１．０〜２．０ｍｍのものからなり、天井から床まで継ぎ目なく連続的に被覆されている。隣り合う鉛シート１２，１２同士は側部で１０〜２０ｍｍ程度重なり合い、ビス１６で壁下地１０に固定されている。鉛シート１２の上には石膏ボード１４が被覆され、石膏ボード１４は周囲をビス１６で壁下地１０に固定されている。
【００２０】
表１に示す種々の組成の鉛シート（厚さ２ｍｍで、製造後１ヶ月経過して、時効硬化が進んだもの）についてその諸特性を調べたところ、表１に示す通りであり、クリープ強度が２２〜４１ｋＰａ、ビッカース硬度（Ｈｖ）が６〜１０、Ｃａ及び／又はＳｂを０．０２〜０．０８％含んでいるものがこの種の用途に適していることがわかった。
【００２１】
【表１】
2005024435.tif 000002
【００２２】
次に、この放射線防護壁の施工方法について説明する。
【００２３】
まず、鉛シートのロールから壁の高さ＋１００ｍｍ程度の鉛シート１２を切り取り、これをロール状に丸めて天井近くまで持ち上げ、鉛シート１２の端部から数ｃｍの長さのところを室内側に略直角に折り曲げて、この部分を天井（スラブ）に沿わせ、鉛シート１２の側部をビス１６で壁下地１０に固定しながら鉛シート１２を下方に解いていく。
【００２４】
そして、この鉛シート１２を張る作業を壁の横方向に順次ずらして行ない、隣り合う鉛シート１２，１２は側部同士を１０〜２０ｍｍ程度重なり合わせ、鉛シート１２の側部は壁下地１０にビス１６で所定間隔をおいて順次固定し、鉛シート１２の上に石膏ボード１４を張って仕上げる。
【００２５】
なお、鉛シート１２と床（スラブ）との取り合いは、突き付けにして、余分な部分はカットする。出隅、入隅部は、鉛シート１２を折り曲げるか、直角に加工された鉛テープを貼り付ける。
【００２６】
【発明の効果】
この発明は、長尺な鉛シートを壁下地に上下方向に連続的に被覆するので、縦方向の重なりと横方向の重なりが交差する部分のように鉛シートが４重に重なる部分ができなくなり、従って、鉛シートの重なり部分を平滑にするための手間がかからず、放射線防護壁の施工が容易になるという効果がある。
【００２７】
また、この発明は、鉛シートを合金にして、クリープ強度を大きくしたので、放射線室の壁面に施工した場合、時間の経過とともに自重で伸びて厚さが薄くなって放射線を透過させるようになるおそれがなく、また、時間の経過とともに自重で伸びてビスの周囲に放射線を通すおそれのある穴を生じさせるようになるおそれがないという効果がある。
【００２８】
また、この発明は、石膏ボードと鉛シートが別々になっているので、端材をリサイクルする場合や古い放射線防護壁を撤去してこれをリサイクルする場合、石膏ボードから鉛シートを人力で剥がすような面倒な作業をしなくて済み、従って、鉛のリサイクルが容易になるという効果がある。
【００２９】
また、この発明は、施工現場で石膏ボードの大きさに合わせて鉛シートを切るというような作業がないので、施工現場で発生する鉛シートの端材が少なくなり、放射線防護壁を施工する際の施工コストが低下するという効果がある。
【００３０】
また、この発明は、鉛シートを貼った重くて大きい石膏ボードを運搬したり施工しなくて済むので、石膏ボードを運搬する際や壁下地へ施工する際の壁材の破損や衝突事故のおそれが少なくなり、従って、石膏ボードの運搬や壁下地への施工が容易になるという効果がある。
【図面の簡単な説明】
【図１】この発明の一実施の形態に係る放射線防護壁の正面図である。
【図２】図１の放射線防護壁の縦断面図である。
【図３】図１の放射線防護壁の横断面図である。
【符号の説明】
１０  壁下地
１２  鉛シート
１４  石膏ボード
１６  ビス
【図１】
2005024435.tif 000003
【図２】
2005024435.tif 000004
【図３】
2005024435.tif 000005